(57)【要約】【課題】高齢者や乳幼児等の利用者でも履きやすく、脱ぎやすい靴を提供すること。【解決手段】靴底部１１と、使用者の足を挿入するための履き口部１３を有するアッパー部１２と、を備え、アッパー部には、履き口部から使用者の爪先領域を配置する爪先部に向かって形成されている履き口切開部１６を有し、履き口切開部は履き口部と連接されており、アッパー部には、履き口切開部を覆うように配置され、柔軟性を有する舌部１４と、履き口切開部に対して臨むように、両側から張り出して形成される複数の羽根部１７ａと、複数の羽根部の一方の羽根部側に固定されると共に、他方の羽根部側に対して着脱可能な構成となっているベルト部１５と、を有し、複数の羽根部は、舌部の一部に重なり合うように配置され、舌部のうち、羽根部及び前記ベルト部の位置に対応した部分に脆弱部が形成され、脆弱部は前記舌部の長手方向に交差するように形成される靴１０。【選択図】図２
2008029716.tif 000002
【特許請求の範囲】
【請求項１】
使用者が歩行に際し接地する靴底面を有する靴底部と、
前記靴底部から立ち上がるように、且つ使用者の足を包むように形成されると共に、使用者の足を挿入するための履き口部を有するアッパー部と、を備える靴であって、
前記アッパー部には、前記履き口部から使用者の爪先領域を配置する爪先部に向かって形成されている履き口切開部を有し、
この履き口切開部は前記履き口部と連接されており、
前記アッパー部には、前記履き口切開部を覆うように配置され、柔軟性を有する舌部と、
前記履き口切開部に対して臨むように、両側から張り出して形成される複数の羽根部と、
前記複数の羽根部の一方の前記羽根部側に固定されると共に、他方の前記羽根部側に対して着脱可能な構成となっているベルト部と、を有し、
前記複数の羽根部は、前記舌部の一部に重なり合うように配置され、
前記ベルト部には、前記他方の羽根部側と着脱するためのベルト側着脱部を有し、
前記他方の羽根部側には、前記ベルト側着脱部に対応した羽根側着脱部が形成され、
前記舌部のうち、前記羽根部及び前記ベルト部の位置に対応した部分に脆弱部が形成され、
この脆弱部は前記舌部の長手方向に交差するように形成されることを特徴とする靴。
【請求項２】
前記舌部は、前記アッパー部に縫合され、この縫合部が脆弱部となっていることを特徴とする請求項１に記載の靴。
【請求項３】
前記ベルト部は、２本のベルトを有し、前記２本のベルトはその端部が連結部により連結され、中央部に、少なくとも前記２本のベルトと前記連結部とから形成されるベルト開口部が形成されていることを特徴とする請求項１又は請求項２に記載の靴。
【請求項４】
前記羽根部の内面における前記爪先部側には、補強部材層が形成され、
前記補強部材層の前記履き口部側の端縁が、前記脆弱部の近傍に配置されていることを特徴とする請求項１乃至請求項３のいずれかに記載の靴。
【発明の詳細な説明】
【技術分野】
【０００１】
本発明は、歩行の際に用いる靴に関するものである。
【背景技術】
【０００２】
歩行に際して使用する靴は、履きやすく脱ぎやすいことが求められている。特に、高齢者や幼児等の靴はその要求が大きい。そこで、従来より、高齢者や幼児用の靴は、履きやすく且つ脱ぎやすいように、紐等を用いない構成が採用されることが多い。具体的には、アッパー部の履き口の開口をそのまま爪先側へ伸ばし、開口を大きくし、利用者が足を入れやすく、出しやすい構成としている。
一方、歩行時は、靴が脱げやすいのでは歩行し難いため、この大きく空いた開口に対して舌状部を配置し、この舌状部にベルトを配置する構成となっている。
このため、利用者が靴を履いたり脱いだりするときは、その手等で、ベルトや舌状部を開き、その開いた状態を維持しながら、靴を履く等する必要があった。
【０００３】
しかし、これでは靴を履いたり脱いだりするときに、この舌状部やベルトが邪魔になり、例えば、手に障害等が利用者の場合、円滑に靴を履いたり脱いだりすることができないという問題があった。
そこで、ベルトと舌状部を結合手段で結合するという提案がなされている（例えば、特許文献１）。また、２本のベルトがアッパー部のどこでも装着可能とする提案も成されている（例えば、特許文献２）。また、特許文献３では、舌状部が大きく開いた状態で維持される構成が提案されている。
【特許文献１】特開２００４−１２１７３９号公報（図３等）
【特許文献２】特開２００２−１９９９０３号公報（図１等）
【特許文献３】特開平１０−１２７３０９号公報（図２等）
【発明の開示】
【発明が解決しようとする課題】
【０００４】
しかし、特許文献１及び特許文献２の構成でも、利用者がベルトを離すと、ベルトと舌状部は閉状態に戻ろうとしてしまい、例えば手に障害等がある人は依然として履きにくい靴となっていた。また、特許文献３では、ベルトは、利用者が手を離せば閉状態に戻るため、やはり同様に手に障害等がある人には使い難いという問題があった。
【０００５】
そこで、本発明は、高齢者や乳幼児等の利用者でも履きやすく、脱ぎやすい靴を提供することを目的とする。
【課題を解決するための手段】
【０００６】
前記課題は、請求項１の発明によれば、使用者が歩行に際し接地する靴底面を有する靴底部と、前記靴底部から立ち上がるように、且つ使用者の足を包むように形成されると共に、使用者の足を挿入するための履き口部を有するアッパー部と、を備える靴であって、前記アッパー部には、前記履き口部から使用者の爪先領域を配置する爪先部に向かって形成されている履き口切開部を有し、この履き口切開部は前記履き口部と連接されており、  前記アッパー部には、前記履き口切開部を覆うように配置され、柔軟性を有する舌部と、前記履き口切開部に対して臨むように、両側から張り出して形成される複数の羽根部と、前記複数の羽根部の一方の前記羽根部側に固定されると共に、他方の前記羽根部側に対して着脱可能な構成となっているベルト部と、を有し、前記複数の羽根部は、前記舌部の一部に重なり合うように配置され、前記ベルト部には、前記他方の羽根部側と着脱するためのベルト側着脱部を有し、前記他方の羽根部側には、前記ベルト側着脱部に対応した羽根側着脱部が形成され、前記舌部のうち、前記羽根部及び前記ベルト部の位置に対応した部分に脆弱部が形成され、この脆弱部は前記舌部の長手方向に交差するように形成されることを特徴とする靴により達成される。
【０００７】
前記構成によれば、アッパー部には、履き口切開部を覆うように配置され、柔軟性を有する舌部と、履き口切開部に対して臨むように、両側から張り出して形成される複数の羽根部とを有し、複数の羽根部は、舌部の一部に重なり合うように配置されている。
そして、複数の羽根部の一方の羽根部側に固定されると共に、他方の羽根部側に対して着脱可能な構成となっているベルト部が形成されている。
さらに、舌部のうち、羽根部及びベルト部の位置に対応した部分に脆弱部が形成され、この脆弱部は舌部の長手方向に交差するように形成されている。
このため、ベルト部の羽根部に対する固定を解除し、舌部を脆弱部から上方に折り曲げると、この折り曲げられた舌部は、両側の羽根部と接触し、その摩擦力で復元されることが妨げられる。
したがって、利用者は、一度、舌部を保持して脆弱部で折り曲げれば、履き口切開部は開放状態で保持され、舌部に邪魔されることなく、円滑に靴を履いたり脱いだりすることができる。例えば、手に障害等がある利用者の場合、舌部を持ち上げながら、足を挿入する等の動作を強いられることがなく、一度、舌部を持ち上げれば、その後、舌部を保持することなく靴を履くこと等ができるので、極めて履きやすく、脱ぎやすい靴となる。
【０００８】
また、前記構成では、舌部の脆弱部はベルト部の範囲に配置されているので、羽根部が舌部と接触して、履き口切開部を開放状態としているときは、羽根部に配置されているベルト部も、脆弱部で屈曲して開いた状態の舌部に横から当接し、履き口切開部を塞ぐ方向に移動することがない。このため、利用者が足を履き口切開部等に挿入等する行為を、ベルト部が邪魔することも防ぐことができ、さらに、履きやすく脱ぎやすい靴となる。
【０００９】
好ましくは、請求項２の発明によれば、請求項１の構成において、前記舌部は、前記アッパー部に縫合され、この縫合部が脆弱部となっていることを特徴とする靴である。
【００１０】
前記構成によれば、縫合部を脆弱部とすることで、舌部の屈曲位置を容易且つ確実に規定することができる。
【００１１】
好ましくは、請求項３の発明によれば、請求項１又は請求項２の構成において、前記ベルト部は、２本のベルトを有し、前記２本のベルトはその端部が連結部により連結され、中央部に、少なくとも前記２本のベルトと前記連結部とから形成されるベルト開口部が形成されていることを特徴とする靴である。
【００１２】
前記構成によれば、前記ベルト部は、２本のベルトを有するので、羽根部及び舌部を確実に足に固定することができ、しかも連結部で連結されているため、容易に着脱できる。また、ベルト部は、その中央部に、少なくとも２本のベルトと連結部とから形成されるベルト開口部が形成されている。
このため、舌部を屈曲させ、屈曲した舌部を羽根部で保持して、ベルト部を舌部で保持する際、その舌部の先端等をベルト開口部に配置させることで、より確実に、履き口切開部の開放状態を維持させることができる。
【００１３】
好ましくは、請求項４の発明によれば、請求項１乃至請求項３のいずれかの構成において、前記羽根部の内面における前記爪先部側には、補強部材層が形成され、前記補強部材層の前記履き口部側の端縁が、前記脆弱部の近傍に配置されていることを特徴とする靴である。
【００１４】
前記構成によれば、羽根部の内面における爪先部側には、補強部材層が形成されているので、羽根部の破断を防ぐとともに、その剛性が高まり、舌部を折り曲げた際の舌部の保持力が高まり、より確実に、履き口切開部を開放状態に維持することができる。
また、補強部材層の履き口部側の端縁が、脆弱部の近傍に配置されているので、利用者が舌部を折り曲げるとき、その折り曲げ位置である脆弱部の位置や、舌部を開いた状態における折幅を容易に把握でき、操作し易い靴となる。
【発明の効果】
【００１５】
本発明は、高齢者や乳幼児等の利用者でも履きやすく、脱ぎやすい靴を提供することができるという利点がある。
【発明を実施するための最良の形態】
【００１６】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１７】
図１は、本発明の実施の形態に係る靴１０を示す概略側面図である。図１に示すように、靴１０は、使用者が歩行に際し接地する靴底面１１ａを有する靴底部１１を有している。また、靴１０は、この靴底部１１から立ち上がるように、且つ使用者の足を包むように形成されるアッパー部１２を有している。このアッパー部１２は、使用者が足を挿入するための開口である履き口部１３を有している。
したがって、履き口部１３から挿入された使用者の足は、アッパー部１２で包まれると共に、靴底部１１で保持される構成となっている。
【００１８】
また、図１に示すように、靴１０は、アッパー部１２内に挿入された使用者の足を甲側から保持する舌部１４を有すると共に、この舌部１４を外側から固定するベルト部１５を有している。このように舌部１４は、使用者の足を固定する機能を有するため、全体的に変形可能な柔軟性を持たせるだけでなく、好ましくは、内部に柔軟性を有するクッション材料等を有し、使用者に不快感を与えない構成となっている。また、舌部１４は柔軟性を有しつつ、形状を保持できる程度の剛性を有しており、好ましくは、その表面が比較的滑り性を有さない材料とされている。
【００１９】
図２は、図１の靴１０のベルト部１５が舌部１４を固定せず、舌部１４が開放状態となって、靴１０を脱ぎ履きする状態を示す概略図である。
図２に示すように、アッパー部１２は、履き口部１３から使用者の爪先領域を配置する爪先部１２ａに向かって形成されている開口である履き口切開部１６を有している。この履き口切開部１６は、図２に示すように、履き口部１３と連接されており、これら履き口切開部１６と履き口部１３とにより、広い開口が形成されている。
したがって、舌部１４を開いた状態とすることで使用者が靴１０を履くときに履きやすく、靴１０を脱ぐときに脱ぎやすい構成となっている。
【００２０】
また、舌部１４は、図２の履き口切開部１６を覆うように配置可能な構成となっており、図３は、舌部１４が履き口切開部１６を覆うように配置した状態を示す概略図である。
舌部１４は、図３に示すように履き口切開部１６を覆うように配置されるが、この履き口切開部１６に対しては、この履き口切開部１６に対して臨むように両側から張り出して形成される例えば、２つの羽根部１７ａ、１７ｂが形成されている。この羽根部１７ａ，１７ｂは全体的に変形が可能な材質で形成されており、好ましくは、その内側表面が比較的滑り性を有さない材料とされている。
この羽根部１７ａ、１７ｂの間隔Ｉは、図３に示すように、舌部１４の幅より短く形成されている。このため、２つの羽根部１７ａ、１７ｂは、舌部１４の両側において、図３に示すように、上から重なった状態となっている。つまり、舌部１４の両側である内足側（図３の使用者の足の親指側）と外足側（図３の使用者の小指側）で、重なっている。
【００２１】
また、ベルト部１５は、図２及び図３に示すように、一方の羽根部である羽根部１７ｂ側に固定され、ベルト１５のベルト内面（図３の斜線部分）には、内面全面にベルト側着脱部であるベルト側面ファスナー１５ａが形成されている。
一方、他方の羽根部１７ａ側の表面には、羽根部側面ファスナー１８が形成されている。このため、ベルト部１５で上側から舌部１４を押さえて、固定するときは、図３のベルト側面ファスナー１５ａを羽根部側面ファスナー１８に固定することになる。
なお、ベルト部１５は、羽根部１７ａと面ファスナー１５ａ、１８で固定されているため、容易に着脱可能となっているが、面ファスナーだけでなく、ホックやフック等のその他の係合手段を採用してもよい。
【００２２】
また、図３に示すように、舌部１４の基端部は、アッパー部１２と縫合されている縫合部１４ａとなっている。この縫合部１４ａは脆弱部の一例となり、舌部１４がこの縫合部１４ａで図２に示すように上方に屈曲等がし易い構成となっている。
また、この縫合部１４ａは、図２及び図３に示すように、羽根部１７ａ、１７ｂやベルト部１５の配置部分に対応して形成されている。つまり、ベルト部１５の幅の範囲に配置される構成とされており、ここではベルト部１５の幅における爪先部１２ａ側に配置される構成とされている。そして、縫合部１４ａは、図３に示すように、舌部１４の長手方向に交差、例えば、直交方向に形成されている。
【００２３】
また、図２及び図３に示すように、ベルト部１５の先端部には把持部１５ａが形成され、この把持部１５ａには面ファスナー等が形成されていない構成となっている。したがって、利用者が把持して操作し易い構成となっている。
本実施の形態の靴１０は、以上のような構成を有する。以下、その動作等を説明する。利用者が例えば、靴１０を履くときは、図１の状態からベルト部１５の把持部１５ａを把持して、ベルト部１５を引き上げる。すると、ベルト部１５のベルト側面ファスナー１５ａと羽根部側面ファスナー１８との係合が解除され、図３の状態となり、舌部１４が露出する。
次に、利用者がこの舌部４を保持して上に引き上げると、舌部１４は、図３の縫合部１４ａを中心に屈曲して上方に折り曲げられ、図２に示す状態となる。
このとき、舌部１４は、その幅が羽根部１７ａ、１７ｂの間隔Ｉより広いので、舌部１４の両側が羽根部１７ａ、１７ｂと接触して、その摩擦力で復元せず、図２の状態で保持される。
【００２４】
つまり、脆弱部である縫合部１４ａで屈曲するために舌部１４の復元力は弱められており、しかも、柔軟な舌部１４が変形しながら羽根部１７ａ，１７ｂを上方に変形させることで、羽根部１７ａ，１７ｂの復元力によって舌部１４を挟んで保持するとともに、さらに、羽根部１７ａ，１７ｂや舌部１４が滑り性の低い摩擦力を持つ表面とされることで確実に開いた状態を保持できる構成とされている。
そして、縫合部１４ａはベルト部１５の範囲に配置されており、舌部１４が縫合部１４ａの位置から起立した状態で保持されるため、ベルト部１５も内面側が舌部１４に当接することで、開いた状態が維持されることとなる。このとき、舌部１４表面やベルト側面ファスナー１５ａの摩擦力だけでなく、舌部１４は形状保持性があるため、ベルト部１５が戻ろうとしても確実にベルト部１５の戻りを抑え、履き口切開部１６を露出させることができる。
したがって、履き口部１３は、履き口切開部１６と連接して、広い開口となり、利用者が履きやすい靴１０となる。
【００２５】
従来は、高齢者や幼児等が使用する場合でも、靴を履く際、手で舌部やベルト部を引き上げて、その状態を維持しながら足を挿入する必要があった。これでは、手の操作が未熟な場合、例えば手等に障害等がある場合は、靴を履く際に困難が伴っていた。
しかし、本実施の形態では、高齢者や幼児等でも、一旦、舌部１４を引き上げれば、その引き上げた位置で舌部１４がとどまるので、手で舌部１４を把持した状態を維持しながら足を挿入する必要がなく、単に、足を挿入すれば足りる。
したがって、極めて履きやすい靴１０となっている。なお、これは靴１０を脱ぐ際も同様であるので、説明を省略する。
【００２６】
また、舌部１４の縫合部１４ａが、上述の作用等を発揮させるには、羽根部１７ａ、１７ｂとベルト部１５の配置部分との関係でその位置を正確に規定する必要があるが、本実施の形態では、縫合部１４ａで舌部１４が屈曲するようになっているので、舌部１４の屈曲位置を容易且つ確実に規定することができ、製造コストを下げることができる。
なお、アッパー部１２の爪先部１２ａ側から舌部１４を一体に延伸するよう構成し、縫合部１４ａと同じ位置に例えばミシン目等の弱め線を設けることで、脆弱部を形成してもよい。
【００２７】
また、本実施の形態の靴１０は、以下のような構成も有している。すなわち、ベルト部１５は図１等に示すように、２本のベルト部分１５ｄ、１５ｄを有し、これらベルト部分１５ｄ、１５ｄは、その先端で連結部１５ｃにより連結されている。
そして、この２本のベルト部分１５ｄ、１５ｄと連結部１５ｃ等により開口であるベルト開口部１５ｅが形成されている。
【００２８】
したがって、図２に示すように、舌部１４を屈曲させ、履き口切開部１６を開放状態としたとき、舌部１４の先端等の一部分、すなわちベルト部１５が固定された側の先端が、このベルト部１５のベルト開口部１５ｅ内に配置される構成となっている。  
このため、舌部１４は、屈曲させられた状態を、羽根部１７ａ、１７ｂのみならず、このベルト開口部１５ｅでも保持させられることになるので、より確実に履き口切開部１６の開放状態を維持でき、履きやすく、脱ぎやすい靴１０となっている。
【００２９】
また、本実施の形態の靴１０は、以下のような構成も有している。すなわち、図１や図２に示すように、羽根部１７ａ、１７ｂの内面における爪先部側表面に補強部材層１９（図１で点線で囲んだ部分）がそれぞれ形成されている。これは、例えば、補強用の生地等をその表面に縫合等で固定することで配置したものである。
このため、羽根部１７ａ、１７ｂは、補強部材層１９により、爪先側からの破断を防ぐだけでなく、剛性を高めて、舌部１４の屈曲状態をより確実に保持できることとなる。
【００３０】
また、この補強用部材層１９の履き口部１３側の端部である端縁１９ａ（図１の右端）が、舌部１４の縫合部１４ａの近傍に配置するようになっており、好ましくはアッパー部１２内面とは異なる色の材料が使用されている。
このため、利用者が図２に示すように、舌部１４を折り曲げる際に、その端縁１９ａを目印にすることで、その縫合部１４ａの位置を容易に把握でき、舌部１４の開き量を認識し易く、操作し易い靴１０となっている。
【００３１】
本発明は、上述の各実施の形態に限定されない。また、本実施の形態では、通常の靴１０を例に説明したが、これに限らず、高齢者用靴や幼児用靴等に適用することもできる。さらに、ベルト部１５を二本のベルト１５ｄ，１５ｄで形成するのではなく、一本のベルトとして、その幅の範囲に脆弱部が配置される構成としてもよく、また、ベルト部１５の基端部側にミシン目等の弱め線によるベルト側脆弱部を別に設け、ベルト部１５が戻りづらい構成としてもよい。
【図面の簡単な説明】
【００３２】
【図１】本発明の実施の形態に係る靴を示す概略側面図である。
【図２】図１の靴のベルト部が舌部を固定せず、舌部が開放状態となっている状態を示す概略図である。
【図３】舌部が履き口切開部を覆うように配置した状態を示す概略図である。
【符号の説明】
【００３３】
１０・・・靴、１４・・・舌部、１４ａ・・・縫合部、１５・・・ベルト部、１５ａ・・・ベルト面ファスナー、１５ｂ・・・把持部、１５ｃ・・・連結部、１５ｄ・・・ベルト部分、１５ｅ・・・ベルト部分、１６・・・履き口切開部、１７ａ、１７ｂ・・・羽根部、１８・・・羽根部側面ファスナー、１９・・・補強部材層、１９ａ・・・端縁
【図１】
2008029716.tif 000003
【図２】
2008029716.tif 000004
【図３】
2008029716.tif 000005